(57)【要約】【課題】メガネテンプルの分離可能な接続構造を提供する。【解決手段】メガネレンズを支えるメガネのフレーム１１０とメガネのテンプル１２０との間に設置されたメガネテンプル１２０の分離可能な接続構造であって、メガネのフレーム１１０のヨロイ１１１に接続部材がピボット接続され、前記接続部材の本体部１３１はピボットによりヨロイ１１１に接続され、本体部１３１の前端には延伸フリンジ部が設置され；メガネのテンプル１２０の接続端には前記接続部材の本体部１３１とマッチングするための収容孔が設置され；前記接続部材には弾性柄部１３２が設置され、弾性柄部１３２の外側壁に挿入凸部が設置されて、メガネのテンプル１２０の接続端に対応的に設置されたバックル部と挿入マッチングする。メガネテンプル１２０は、メガネのフレーム１１０との間における挿入接続構造を採用したので、より便利かつ容易にメガネのテンプル１２０を取り外すまたは取り付けることが可能で、組み立てた後のメガネのテンプル１２０は、接続位置にしっかり保持される。【選択図】図４
0003157443.tif 000002
【実用新案登録請求の範囲】
【請求項１】
メガネレンズを支えるメガネのフレームとメガネのテンプルとの間に設置されたメガネテンプルの分離可能な接続構造であって、
前記メガネのフレームのヨロイに、接続部材がピボット接続され、前記接続部材の本体部は、ピボットにより前記ヨロイに接続され、前記本体部の前端には延伸フリンジ部が設置され；前記メガネのテンプルの接続端には、前記接続部材の本体部とマッチングするための収容孔が設置され；前記接続部材にはさらに弾性柄部が設置されて、前記弾性柄部の外側壁に、前記メガネのテンプルの接続端に対応的に設置されたバックル部に挿入マッチングするための挿入凸部が設置されていることを特徴とするメガネテンプルの分離可能な接続構造。
【請求項２】
前記メガネのテンプルの接続端は、プラスチック材質により設置され、かつ前記バックル部をその中に設置するように、予定の厚さを有して設置されることを特徴とする請求項１に記載の接続構造。
【請求項３】
前記メガネのテンプルの接続部は、金属材質により設置され、かつ前記バックル部は、前記メガネのテンプルの突出部材に設置されていることを特徴とする請求項１に記載の接続構造。
【請求項４】
前記ヨロイは、ボルトにより前記メガネのフレームに固定されていることを特徴とする請求項２又は請求項３に記載の接続構造。
【請求項５】
前記ヨロイのピボット接続位置は２つのスライスに設置され、前記接続部材のピボット接続位置は３つのスライスに設置され、かつ前記ヨロイのピボット接続位置とマッチングするように設置されることを特徴とする請求項４に記載の接続構造。
【請求項６】
前記ヨロイのピボット接続位置は１つのスライスに設置され、前記接続部材のピボット接続位置は２つのスライスに設置され、かつ前記ヨロイのピボット接続位置とマッチングするように設置されることを特徴とする請求項４に記載の接続構造。
【請求項７】
前記ヨロイのピボットと前記接続部材のピボットとは、ネジ又はブランジャーにより接合されることを特徴とする請求項６に記載の接続構造。
【考案の詳細な説明】
【技術分野】
【０００１】
本考案はメガネテンプルの接続構造に関し、特にメガネのテンプルを交換することが可能である接続構造に関する。
【背景技術】
【０００２】
従来技術に係るメガネは、例えば、近視患者、遠視患者、又は高齢者のような一部の人にとって使用しなければならない必需品である。それと同時に、メガネをかけるイメージを変換するために、現在メガネの製造プロセスにおいて、メガネのテンプルを交換することが可能である構造が設計されている。
【０００３】
しかしながら、装用過程において、メガネのテンプルが、メガネのフレームにしっかり（強く）接合されている必要がある。そうではない場合、メガネの装用過程において、メガネのテンプルが脱落してしまう可能性がある。これにより使用者に不便を招く。従って、メガネテンプルの交換可能な構造は、交換する際に便利に交換でき、且つ使用過程において安定に接合されている必要がある。しかしながら、従来技術に係るメガネテンプルの交換可能な構造は、交換の便利性のみを考慮したものが多い、交換した後の定着性（接合安定性）について考慮していない。
従って、従来技術は改良し発展する必要がある。
【考案の概要】
【考案が解決しようとする課題】
【０００４】
本考案は、メガネのテンプルを便利（簡単に）に交換でき、且つメガネのテンプルを交換した後、メガネのテンプルがメガネのフレームにしっかりと接続されていることができるメガネテンプルの分離可能な接続構造を提供することにその目的がある。
【課題を解決するための手段】
【０００５】
本考案に係るメガネテンプルの分離可能な接続構造は、メガネレンズを支えるメガネのフレームとメガネのテンプルとの間に設置されており、前記メガネのフレームのヨロイには、接続部材がピボット接続されており、前記接続部材の本体部はピボットにより前記ヨロイに接続され、前記本体部の前端には延伸フリンジ部が設置され；前記メガネのテンプルの接続端には前記接続部材の本体部とマッチするための収容孔が設置され；前記接続部材にはさらに弾性柄部が設置され、前記弾性柄部の外側壁には、前記メガネテンプルの接続端に対応的に設置されたバックル部に挿入マッチングするための挿入凸部が設置されている。
【０００６】
前記接続構造において、前記メガネのテンプルの接続端は、プラスチック材質により設置され、且つ前記バックル部をその中に設置するように予定の厚さを有して設置されている。
【０００７】
前記接続構造において、前記メガネのテンプルの接続部は、金属材質により設置され、且つ前記バックル部は、前記メガネのテンプルの突出部材に設置されている。
【０００８】
前記接続構造において、前記ヨロイは、ボルトにより前記メガネのフレームに固定されている。
前記接続構造において、前記ヨロイのピボット接続位置は２つのスライスに設置され、前記接続部材のピボット接続位置は３つのスライスに設置され、かつ前記ヨロイのピボット接続位置とマッチするように設置されている。
【０００９】
前記接続構造において、前記ヨロイのピボット接続位置は１つのスライスに設置され、前記接続部材のピボット接続位置は２つのスライスに設置され、かつ前記ヨロイのピボット接続位置とマッチするように設置されている。
【考案の効果】
【００１０】
前記接続構造において、前記ヨロイのピボットと前記接続部材のピボットとは、ネジまたはブランジャーによりしっかり接合されている。
本考案により提供されたメガネテンプルの分離可能な接続構造は、メガネのテンプルとメガネのフレームとの間における挿入接続構造を採用しているため、メガネのテンプルをより便利かつより容易に取り外し又は取り付けることができ、取り付けられた後のメガネのテンプルは、接続位置にしっかり保持される。
【図面の簡単な説明】
【００１１】
【図１ａ】図１ａは、本考案の第１実施形態に係るメガネテンプルの接続構造の組み立てを示す図面である。
【図１ｂ】図１ｂは、同接続構造の組み立てを示す図面である。
【図１ｃ】図１ｃは、同接続構造の組み立てを示す図面である。
【図２】図２は、本考案の第１実施形態に係るメガネテンプルの接続構造の組み立て後の構造を示す図面である。
【図３ａ】図３ａは、本考案の第２実施形態に係るメガネテンプルの接続構造の組み立てを示す図面である。
【図３ｂ】図３ｂは、同接続構造の組み立てを示す図面である。
【図３ｃ】図３ｃは、同接続構造の組み立てを示す図面である。
【図４】図４は、本考案の第２実施形態に係るメガネテンプルの接続構造の組み立て後の構造を示す図面である。
【考案を実施するための形態】
【００１２】
以下、本考案の最良の実施形態に対して、図面を参照しながら説明する。
【００１３】
本考案の第１実施形態に係るメガネテンプルの分離可能な接続構造（接合構造）は、図２に示されたように、メガネレンズを支えるメガネのフレーム１１０とメガネのテンプル１２０との間に設置されている。前記メガネのフレーム１１０のヨロイ（智）１１１には、接続部材１３０がピボット接続されている。図１ａに示されたように、前記ヨロイ１１１は、ねじ山により前記メガネのフレーム１１０に固定接続されている。
【００１４】
前記接続部材１３０の本体部１３１は、ピボット１３４を通じて前記ヨロイ１１１にピボット接続されている。前記本体部１３１の前端には、延伸フリンジ部１３５が設けられている。図１ｂ及び図１ｃに示されたように、前記メガネのテンプル１２０が前記接続部材１３０に組み立てられた際に、延伸フリンジ部１３５は、前記メガネのテンプル１２０の接続端の外側に当てられて、前記メガネのテンプル１２０が簡単に脱落することを防止する。
【００１５】
前記メガネのテンプル１２０の接続端には、さらに前記接続部材の本体部１３１とマッチングするための収容孔１２１が設けられ；前記接続部材１３０にはさらに弾性柄部１３２が設置され、当該弾性柄部１３２の外側壁には、前記メガネのテンプル１２０の接続端に対応的に設置されたバックル部１２３に挿入マッチングするための挿入凸部１３３が設置されている。
【００１６】
図２に示されている本考案の第１実施形態に係る前記メガネのテンプルの接続構造において、前記メガネのテンプル１２０の接続端は、例えば銅合金スライスのような金属材質により設置され、かつ前記収容孔１２１の後端には突出部材が設置されて、前記メガネのテンプル１２０に半田付けすることにより、前記バックル部１２３を実現することができる。
【００１７】
図４に示されている本考案の第２実施形態に係る前記メガネのテンプルの接続構造において、前記メガネのテンプル１２０の接続端は、プラスチック材質により設置され、かつ当該接続端が予定の厚さを有するように設置されて、前記収容孔１２１の後端の側壁に前記バックル部１２３を設置し、かつ前記接続端には前記ヨロイ１１１とマッチングする溝１２４が設置されている。
【００１８】
本考案に係る前記ヨロイ１１１のピボット接続位置は２つのスライス型の構造（２ヒンジ）を有するように設置することもでき、それと同時に、前記接続部材１３０のピボット接続位置は対応的に３つのスライス構造（ミユビ；Ｔｈｒｅｅ−ｔｏｅｄ）に設置されて、前記ヨロイのピボット接続構造と交差して接続できることになる。もちろん、図１ａ及び図３ａに示されたように、前記ヨロイ１１１のピボット接続位置が１つのスライス構造（シングルヒンジ）に設置されると同時に、前記接続部材１３０のピボット接続位置が２つのスライス構造（フタツユビ；Ｔｗｏ−ｔｏｅｄ）に設置されることも可能である。前記ヨロイのピボット接続位置と前記接続部材のピボット接続位置との接続は、ネジまたはブランジャーによりしっかり接合されることにより実現できる。
【００１９】
本考案に係る前記メガネテンプルの分離可能な接続構造において、その生産及び組み立てのプロセスは、図１ａ及び図３ａに示されたように、まず前記接続部材１３０のピボット接続位置と前記ヨロイ１１１のピボット接続位置とを交差して接続させ、その後、接続部材１３０と前記ヨロイ１１１とが接続されるように、ピボット１３４をピポット孔１１３に挿し込む。前記ピボット１３４は、前記メガネのフレームと前記メガネのテンプルとの間が相対的に容易に回転できるように、図１ａ及び図３ａに示されたバルト構造により実現することができる。
【００２０】
使用過程において、新しいメガネのテンプルを組み立てようとする時、図１ｂ、図１ｃ、図３ｂ、及び図３ｃに示されたように、前記接続部材１３０を、ピボット１３４を回ってヨロイ１１１の同方向と離れる（逸脱する）方向に折り曲げる必要がある。例えば、前記メガネのフレーム１１０に略垂直するようにした後、前記メガネのテンプル１２０の接続端における収容孔１２１を前記接続部の本体部１３１に接合すると同時に、前端延伸フリンジ部１３５は前記接続部材１３０と前記メガネのフレーム１１０との間に挿し込まれ、同時に前記バックル部１２３と前記挿入凸部１３３との挿入マッチング（バックル且つマッチングする）により、前記メガネのテンプル１２０が前記接続部材１３０に固定されることができるので、メガネをかける過程においてメガネのテンプルが脱落することがない。
【００２１】
本考案に係る前記メガネのテンプルの接続構造において、前記挿入凸部１３３を弾性柄部１３２に設置することにより、メガネのテンプル１２０を取り外す時に、前記弾性柄部１３２を外側に移動させることにより、前記挿入凸部１３３が前記メガネのテンプル１２０のバックル部１２３から脱離すると同時に、前記ヨロイを離す方向に前記接続部材１３０を回転させることにより、前記メガネのテンプルを簡単に取り外すことができる。なお、メガネの使用過程において、前記メガネのテンプル接続端の端部に、延伸フリンジ部１３５が設置されており、及び前記バックル部１２３が前記メガネのテンプルの挿入凸部１３３にしっかりマッチングされているので、メガネのテンプルが前記メガネのフレームにしっかり接続されることを保障することができる。
【００２２】
本考案に係る前記メガネのテンプル接続構造は、メガネのテンプルの交換操作を簡単化すると同時に、メガネのテンプルを交換した後、使用過程におけるメガネのテンプルとヨロイとの接続をしっかりさせた。
【００２３】
上記の説明は、本考案の最良の実施形態について詳しく説明したが、本考案は、上記のような実施形態に限定されるわけではなく、当業者にとっては、上記の説明に基づいて、様々な改良又は変換を行うことができ、これらの改良及び交換は、添付した本考案の特許請求の範囲の保護範囲に属すべきである。
【符号の説明】
【００２４】
１１０  フレーム
１１１  ヨロイ
１２０  テンプル
１３０  接続部材
１３１  本体部
１３２  弾性柄部
１３３  挿入凸部
１３４  ピボット
１３５  延伸フリンジ部
【図１ａ】
0003157443.tif 000003
【図１ｂ】
0003157443.tif 000004
【図１ｃ】
0003157443.tif 000005
【図２】
0003157443.tif 000006
【図３ａ】
0003157443.tif 000007
【図３ｂ】
0003157443.tif 000008
【図３ｃ】
0003157443.tif 000009
【図４】
0003157443.tif 000010